(57)【要約】【課題】簡易に組み立てられ、ロープが整列されて巻き取られ、軽量でコンパクトな持ち運びやすいロープ巻取り装置を提供する。【解決手段】ロープ巻取り装置は、回転中心線を有し、ロープを巻き取るロープ巻取り装置において、上記回転中心線上に回転中心を有し、上記回転中心の周りを自転しながら上記ロープを繰り込むようにして巻き取る巻取り機構と、上記巻取り機構を下方から支持するとともに上記回転中心を上記回転中心線上に支持する支持機構と、を備える。また、上記巻取り機構または上記支持機構の少なくとも一方は、２つに分割されるとともに蝶番により連結される。【選択図】図１
2005350194.tif 000002
【特許請求の範囲】
【請求項１】
回転中心線を有し、ロープを巻き取るロープ巻取り装置において、
上記回転中心線上に回転中心を有し、上記回転中心の周りを自転しながら上記ロープを繰り込むようにして巻き取る巻取り機構と、
上記巻取り機構を下方から支持するとともに上記回転中心を上記回転中心線上に支持する支持機構と、
を備えることを特徴とするロープ巻取り装置。
【請求項２】
上記巻取り機構または上記支持機構の少なくとも一方は、２つに分割されるとともに蝶番により連結されることを特徴とする請求項１に記載するロープ巻取り装置。
【請求項３】
上記支持機構は、上記ロープを所定の方向から上記ロープ案内機構に繰り込むロープ整列部材を有することを特徴とする請求項１または２に記載するロープ巻取り装置。
【請求項４】
上記支持機構は、
床上に配設される台座、上記回転中心線を中心とする円周上の上記台座に配設され、被転動部材を上記回転中心線の周りに自転可能に支持する回転支持機構および上記被転動部材を下方から支持する転動機構を有し、
上記巻取り機構は、
上記転動機構上に載せられ、上記回転中心線の周りを自転する上記被転動部材、上記被転動部材上に固定され、上記ロープを案内するロープ案内機構および上記ロープ案内機構に支持され、上記ロープの一端を握持する握持機構を有することを特徴とする請求項１に記載するロープ巻取り装置。
【請求項５】
上記台座は、２つに分割されるとともに蝶番により連結され、
上記回転支持機構と上記転動機構は、上記蝶番が折り曲げられて上記台座が折り畳まれたときに上記台座により包まれるように上記台座に配設されることを特徴とする請求項４に記載するロープ巻取り装置。
【請求項６】
上記被転動部材は、２つに分割されるとともに蝶番により連結され、
上記ロープ案内機構は、上記被転動部材が展開されているときに上記被転動部材に対して起立する位置に固定され、上記蝶番が折り曲げられて上記被転動部材が折り畳まれたときに上記被転動部材に対して横臥する位置に固定されることを特徴とする請求項４または５に記載するロープ巻取り装置。
【請求項７】
上記握持機構は、上記ロープ案内機構の所望の位置に移動され、固定されることを特徴とする請求項４乃至６のいずれか一項に記載するロープ巻取り装置。
【発明の詳細な説明】
【技術分野】
【０００１】
この発明は、エレベータ等の昇降機の主ロープを巻き取る際に用いられるロープ巻取り装置に関するものであり、特に新旧の主ロープを交換する際、ピットまたは機械室において、古い主ロープを巻き取るロープ巻取り装置に関するものである。
【背景技術】
【０００２】
従来の昇降機主ロープ巻取り装置は、昇降路内に立設された支持体と、上記支持体の上部に回転可能に支持された円板状の円形台と、一端を上記円形台の縁部に固定され放射状に延びる複数のフレームと、上記複数のフレームの各々の途中から上記フレームに対して直角に枝分かれして延び、互いが平行となるように配設されて、上記フレームと協同して主ロープの巻き付け部を構成する複数のアームと、上記フレームの少なくとも１本に設けられて、上記主ロープの端部を固定するロープ固定手段とを備える（例えば、特許文献１参照。）。
【０００３】
【特許文献１】特開平１０−３１６３１０号公報
【発明の開示】
【発明が解決しようとする課題】
【０００４】
しかし、従来のロープ巻取り装置は、支持体を所定の位置に取り付けたあと、巻取り具を支持体に組み付ける必要があり、組立てに時間が掛かるという問題がある。
また、２０ｋｇ〜５０ｋｇからなる巻き取るロープの重量を支える支持体は、ロープの重量に耐えるように、支持体をしっかりと取り付けなければならないので、組立てに必要以上の注意を要するという問題がある。
また、収納するとき巻取り具のロープによる汚れ面が表面に出ている状態であるので、運搬時に汚れてしまうという問題がある。
また、ロープの巻き取る量が多くなるとロープによりロープ固定手段が覆われて、ロープ固定手段からロープを取り外すことが難いという問題がある。
【０００５】
この発明の目的は、簡易に組み立てられ、ロープが整列されて巻き取られ、軽量でコンパクトな持ち運びやすいロープ巻取り装置を提供することである。
【課題を解決するための手段】
【０００６】
この発明のロープ巻取り装置は、回転中心線を有し、ロープを巻き取るロープ巻取り装置において、上記回転中心線上に回転中心を有し、上記回転中心の周りを自転しながら上記ロープを繰り込むようにして巻き取る巻取り機構と、上記巻取り機構を下方から支持するとともに上記回転中心を上記回転中心線上に支持する支持機構と、を備える。
【発明の効果】
【０００７】
この発明に係わるロープ巻取り装置の効果は、組立が直に床に支持機構を設置し、その支持機構に巻取り機構を乗せるだけでよいので、設置時間が１分以内というように簡易に組立が完了する。
また、支持機構および巻取り機構をそれぞれ二つ折りにできるので、大きな突起は二つ折りの内側に収納されロープの油での汚れ面が内側にくるので、持ち運び時汚れ難くなった。
【発明を実施するための最良の形態】
【０００８】
図１は、この発明の実施の形態に係わるロープ巻取り装置の平面図である。図２は、図１のＡ−Ａ断面における一部断面図である。
ロープ巻取り装置１は、ピットや機械室の床などに設置される。
ロープ巻取り装置１は、図１、図２に示すように、支持機構２と巻取り機構３とから構成されている。ロープ巻取り装置１は、回転中心線１６を有している。巻取り機構３が支持機構２の上に、巻取り機構３の回転中心と支持機構２の回転中心が回転中心線１６上にくるようにして積載される。巻取り機構３は、回転中心線１６の周りを自転する。
【０００９】
次に、支持機構２について図３〜図９を参照して説明する。図３は、ロープ巻取り装置の展開した状態の支持機構２の上面図である。図４は、図３の押さえ部のＢ−Ｂ断面における断面図である。図５は、図３のローラ組立のＣ−Ｃ断面における断面図である。図６は、図３の蝶番のＤ方向からの矢視図である。図７は、支持機構が２つ折りに畳まれた状態の側面図である。図８は、図３のロープガイドのＦ方向からの矢視図である。図９は、図３のガイドローラのＧ−Ｇ断面における断面図である。
【００１０】
支持機構２は、図３に示すように、台座４ａ、４ｂ、巻取り機構３を台座４ａ、４ｂとの間に押さえる３つの押さえ部５、巻取り機構３を下方から転動可能に支持する転動機構としての５つのローラ組立６、収容時台座４ａ、４ｂを折りたたむことができるように連結する蝶部７ａ、７ｂ、７ｃ、７ｄ、巻き取られるロープを整列するロープ整列部材としてのロープガイド８、巻取り機構３を回転中心線１６の周りに回転自在に支持する回転支持機構としての４つのガイドローラ９から構成されている。ガイドローラ９は、回転中心線１６を中心とする円周１７上に設けられている。
【００１１】
台座４ａ、４ｂは、金属でなく、木材、合板または樹脂板等から作製されている。台座４ａ、４ｂは、展開されたとき、外形が８角形になる。また、そのとき、中央に穴１０が形作られる。
【００１２】
押さえ部５は、図４に示すように、台座４ａにナット１１で固定される軸１２、止め輪１３で軸１２に水平方向に回転自在に支持される押さえ金１４から構成される。押さえ金１４は、手で水平方向に力を加えれば回動し、点線で示す巻取り機構３の浮き上がりを防止する。
【００１３】
ローラ組立６は、図５に示すように、台座４ａに固定される座２１ａ、２１ｂ、座２１ａ、２１ｂの間で回転自在に支持される軸２２、軸２２に回転自在に支持される内輪２３および外輪２４から構成されている。点線で示す巻取り機構３が、内輪２３、外輪２４により転動される。
【００１４】
蝶番７ａ、７ｂ、７ｃ、７ｄは、図３のＸ−Ｘ軸に対して線対称に台座４ａ、４ｂを連結し、台座４ａ、４ｂを図６の矢印方向に２つ折りにすることが可能である。
蝶番７ａは、図６に示すように、ネジ２９により台座４ａに固定されるＬ型板３０ａ、ネジ２９により台座４ｂに固定され、蝶番軸３１でＬ型板３０ａと互いに回転自在に連結されるＬ型板３０ｂから構成されている。Ｌ型板３０ａ、３０ｂは、Ｌ字状の断面を有する板である。台座４ａ、４ｂは、図７に示すように、蝶番軸３１を回転中心にして折りたたまれる。折りたたみ間隔ａは蝶番７ａの板の高さｈと板厚ｔとから（ａ＝ｈ＋ｔ）により決まり、高さｈはローラ組立６より高くなるように組み立てられる。
他の蝶番７ｂ、７ｃ、７ｄは、蝶番７ａとサイズが違うが、高さと板厚とは同じである。
【００１５】
ロープガイド８は、図８に示すように、Ｕ字を逆さにした形状を有し、一部に巻き取られるロープを内側に挿入できる切り欠き部３３が設けられるガイド３２、ガイド３２のＵ字の両端部が溶接される軸３４、ガイド３２の内側（矢印方向）に回動し、巻き取られるロープを内側に取り込む仕切り板３５、ガイド３２に取り付けられ、回動して巻き取られるロープの移動を滑らかにするローラ３６ａ、３６ｂ、台座４ａに固定され、軸３４を回転自在に水平に支持する座３７ａ、３７ｂから構成される。
ロープガイド８は、使用するとき台座４ａに対して起立し、巻き取られるロープを一定方向に整列する。一方、台座４ａ、４ｂを２つ折りにするとき、台座面に沿って倒して収納する。
【００１６】
ガイドローラ９は、図９に示すように、台座４ｂから鉛直に起立するように固定される軸４１、軸４１に止め輪４２により回転自在に支持されるローラ４３から構成される。
ローラ４３の外側面は、巻取り板５１ａ、５１ｂの内側孔５５に接して巻取り機構３の保持と回転を滑らかにする。
【００１７】
台座４ａ、４ｂが蝶番７ａ、７ｂ、７ｃ、７ｄの蝶番軸３１を中心にして折りたたまれると、図１０に示すように、約半分の面積に縮小される。また、台座４ａ、４ｂに取り付けられた押さえ部５、ローラ組立６、ロープガイド８、ガイドローラ９は、台座４ａ、４ｂを２つ折りにしたとき、互いに干渉しない位置に配置され、かつ折りたたみ間隔ａより高さが低い。また、台座４ａ、４ｂの裏面に、クッションスポンジ４６が備えられている。クッションスポンジを備えることにより、台座４ａ、４ｂが直接床に接することを防ぐことができる。
【００１８】
次に、巻取り機構３について図１１〜図１７を参照して説明する。図１１は、展開された巻取り機構３の上面図である。図１２は、図１１のガイド棒組立５３のＬ方向からの矢視図である。図１３は、図１１のガイド棒組立５３のＪ−Ｊ断面に沿った断面図である。図１４は、図１２のガイド棒組立５３のＫ−Ｋ断面に沿った断面図である。図１５は、ガイド棒組立５３のＵ字曲げ板の矢視図である。図１６は、挟持部材がガイド棒組立に固定された状態を示す矢視図である。図１７は、巻取り機構３が２つ折りに畳み込まれた状態を示す図である。
【００１９】
巻取り機構３は、図１１に示すように、Ｙ−Ｙ線に対して線対称に位置するように配置される被転動部材としての巻取り板５１ａ、５１ｂ、巻取り板５１ａ、５１ｂをＹ−Ｙ線に沿って折ることができるように連結する蝶番５２ａ、５２ｂ、５２ｃ、５２ｄ、巻取り板５１ａ、５１ｂに取り付けられたロープ案内機構としての４つのガイド棒組立５３、巻取り板５１ａ、５１ｂに固着し、巻き取ったロープを縛る針金を通す段差を作るための３つのスペーサ５４から構成されている。
さらに、巻取り機構３は、２つのガイド棒組立５３に固定された握持機構としてのロープ固定具５６が備えられている。
【００２０】
巻取り板５１ａ、５１ｂは、蝶番５２ａ、５２ｂ、５２ｃ、５２ｄにより連結され、拡げられたとき、中央に内側孔５５が形作られる。この内側孔５５の中心が巻取り機構３の回転中心になる。この内側孔５５の側面がガイドローラ４３の側面と接し、巻取り機構３がこの回転中心の周りを自転する。巻取り板５１ａ、５１ｂは、金属でなく、木材、合板または樹脂板等で作製される。
蝶番５２ａ、５２ｂ、５２ｃ、５２ｄの構造は、図６の蝶番７ａ、７ｂ、７ｃ、７ｄと同様である。
【００２１】
ガイド棒組立５３は、図１２に示すように、ネジが切られた棒の一端にその棒に対して直角になるように丸棒が固着されたＴ字形のネジ棒５７、ネジ棒５７に螺旋合わせされる蝶ナット５８、巻取り板５１ａにネジで固定され、切り欠きが設けられ、断面Ｌ字形の押さえ板５９から構成される。その切り欠きにネジ棒５７の丸棒が挿入され、その丸棒を回転支点としてネジ棒５７を起立の位置と横臥の位置との間を移動できるようにしている。
ネジ棒５７は、蝶ナット５８を締めつけ、蝶ナット５８とネジ棒５７の丸棒とで押さえ板５９を挟んで固定する。
図１２の点線は、巻取り板５１ａ、５１ｂが折りたたまれるときの横臥の位置のネジ棒５７である。一方、使用するときはネジ棒５７が巻取り板５１ａ、５１ｂに鉛直に起立させられる。
ガイド棒組立５３は、円周上に複数配置され、巻き取られるロープをコイル状に誘導する。これらのガイド棒組立５３は、巻取り板５１ａ、５１ｂをＹ−Ｙ線に沿って２つ折りにしたとき、干渉しない位置に配置されている。
【００２２】
巻取り板５１ａ、５１ｂは、図１３、１４に示すように、内側孔５５の側面に凹欠部６１が４つ設けられている。その凹欠部６１に上方に開口し、切り込み部６２が内側に向くように、図１５に示すＵ字曲げ板６３が嵌合される。そのＵ字曲げ板６３のＵ字溝にネジ棒５７の丸棒６４が挿入される。そして、凹欠部６１を上方から抱持するように押さえ板５９がネジ６５で巻取り板５１ａ、５１ｂに固定される。
ネジ棒５７は、巻取り板５１ａに対して起立の位置から横臥の位置に自由に回動され、蝶ナット５８で押さえ板５９に鉛直に固定することができる。
【００２３】
次に、ガイド棒組立５３に挟持部材としてのロープ固定具５６を取りつけた様子について図１６を参照して説明する。図１６は、図１１の矢印Ｍの方向から見たガイド棒組立５３の矢視図である。
ロープ固定具５６は、巻き取るロープ７０の一端を握持するロッキングプライヤー６７、ロッキングプライヤー６７が溶接され、ネジ棒５７に螺合する六角ナット６８、六角ナット６８をネジ棒５７に固定するナット６９から構成されている。六角ナット６８は、ロープ７０の巻き取る量に合せて上下に移動され、位置が決まれば、ナット６９で締められて固定される。
【００２４】
２つ折りにされた巻取り板５１ａ、５１ｂは、図１７に示すように、約半分の面積に縮小することができる。また、ネジ棒５７、ロープ固定具５６は、横臥の位置に倒されているので、２つ折りの厚さも展開したときの２倍位に納まるので、運ぶことが容易になる。
【００２５】
次に、ロープ巻取り装置１を用いてロープ７０を巻き取る動作について図１８を参照しながら説明する。図１８は、ロープの巻取り動作の手順を示すフローチャートである。図１９は、ロープ巻取り装置１にロープ７０の一端を固定した状態を示す図である。
ステップ１０１で、２つ折りの台座４ａ、４ｂを展開し、巻取り作業に都合のよい位置に設置する。
ステップ１０２で、ロープガイド８を鉛直に起立する。
ステップ１０３で、巻取り機構３を展開し、ネジ棒５７を巻取り板５１ａ、５１ｂに垂直になるように起立する位置に立て、蝶ナット５８で押さえ板５９との間で固定する。
ステップ１０４で、六角ナット６８を移動してロッキングプライヤー６７の位置を定め、ナット６９で六角ナット６８を固定する。
ステップ１０５で、巻取り板５１ａ、５１ｂの内側孔５５がガイドローラ９と接するようにして、巻取り板５１ａ、５１ｂをローラ組立６上に積載する。
ステップ１０６で、押さえ金１４を回動して、巻取り板５１ａ、５１ｂが浮き上がらないように止める。
ステップ１０７で、巻き取るロープ７０の端に近い部分を図１６に示すようにロッキングプライヤー６７で銜える。
ステップ１０８で、図１９に示すように、ロープガイド８の仕切板３５を回動して、切り欠き部３３からロープ７０をロープガイド８内に通す。
ステップ１０９で、ロープ７０を手繰りしながら巻取り機構３を図１９の矢印の方向に回転させるとロープ７０が巻き取られていく。
ステップ１１０で、巻取りが完了したら、巻取り板５１ａ、５１ｂとロープ７０との間に針金を通し、ロープ７０をコイル状に集束する。その後、ロープ７０を巻取り機構３から取り外す。
【００２６】
このようなロープ巻取り装置は、組立が直に床に支持機構を設置し、その支持機構に巻取り機構を乗せるだけでよいので、設置時間が１分以内というように簡易に組立が完了する。
【００２７】
また、台座及び巻取り具をそれぞれ二つ折りにしたので、持ち運び時汚れ難くなった。
【００２８】
また、大きな突起は二つ折りの内側に収納されロープの油での汚れ面が内側にくるので、持ち運び時汚れ難くなった。
【００２９】
また、ロープが一定方向からロープ案内機構に引き込まれるので、整列されてロープが巻き取られる。
また、ロープガイドに切り欠きが設けられ、仕切り板が設けられるので、ロープを固定し、その後ロープを通せるので、ロープの固定は手順が逆でも良く、特に数本を同時に固定する時に楽に固定できる。
【００３０】
また、ロープの巻き取る量に合せてロープ固定具を自在に設定できるのでロープ固定具はロープに埋まることが無くなる。
【００３１】
なお、ローラ組立６として、水平に支持された軸に内輪と外輪とを設ける例について説明したが、ボールベアリングを水平に複数設けて、その上に被転動部材を積載してもよい。
また、台座および巻取り板がそれぞれ２つに分割され、蝶番により連結されている例について説明したが、それぞれ１つであってもよい。
【００３２】
また、回転支持機構としてのガイドローラが巻取り板の内側孔の側壁に当接する例を挙げたが、巻取り板の外側端面に当接するように配設しても同様に巻取り板の回転を案内することができる。
【図面の簡単な説明】
【００３３】
【図１】この発明の実施の形態に係わるロープ巻取り装置の平面図である。
【図２】図１のＡ−Ａ断面における一部断面図である。
【図３】ロープ巻取り装置の支持機構の上面図である。
【図４】図３の押さえ部のＢ−Ｂ断面における断面図である。
【図５】図３のローラ組立のＣ−Ｃ断面における断面図である。
【図６】図３の蝶番のＤ方向からの矢視図である。
【図７】支持機構が２つ折りにされた状態の側面図である。
【図８】図３のロープガイドのＦ方向からの矢視図である。
【図９】図３のガイドローラのＧ−Ｇ断面における断面図である。
【図１０】支持機構が２つ折りにされた状態の平面図である。
【図１１】巻取り機構の上面図である。
【図１２】図１１のガイド棒組立のＬ方向からの矢視図である。
【図１３】図１１のガイド棒組立のＪ−Ｊ断面に沿った断面図である。
【図１４】図１２のガイド棒組立のＫ−Ｋ断面に沿った断面図である。
【図１５】ガイド棒組立のＵ字曲げ板の矢視図である。
【図１６】握持機構がガイド棒組立に固定された状態を示す矢視図である。
【図１７】巻取り機構が２つ折りにされた状態を示す図である。
【図１８】ロープの巻取り動作の手順を示すフローチャートである。
【図１９】ロープ巻取り装置にロープの一端を固定した状態を示す図である。
【符号の説明】
【００３４】
１  ロープ巻取り装置、２  支持機構、３  巻取り機構、４ａ、４ｂ  台座、５  押さえ部、６  ローラ組立、７ａ〜７ｄ、５２ａ〜５２ｄ  蝶番、８  ロープガイド、９  ガイドローラ、１０  穴、１１  ナット、１２  軸、１３、４２  止め輪、１４  押さえ金、１６  回転中心線、１７  円周、２１ａ、２１ｂ、３７ａ、３７ｂ  座、２２、３４、４１  軸、２３  内輪、２４  外輪、２９  ネジ、３０ａ、３０ｂ  Ｌ型板、３１  蝶番軸、３２  ガイド、３３  切り欠き部、３５  仕切板、３６ａ、３６ｂ  ローラ、４３  ガイドローラ、４６  クッションスポンジ、５１ａ、５１ｂ  巻取り板、５３  ガイド棒組立、５４  スペーサ、５５  内側孔、５６  ロープ固定具、５７  ネジ棒、５８  蝶ナット、５９  押さえ板、６１  凹欠部、６２  切り欠き部、６３  Ｕ字曲げ板、６４  丸棒、６５  ネジ、６７  ロッキングプライヤー、６８  六角ナット、６９  ナット、７０  ロープ。
【図１】
2005350194.tif 000003
【図２】
2005350194.tif 000004
【図３】
2005350194.tif 000005
【図４】
2005350194.tif 000006
【図５】
2005350194.tif 000007
【図６】
2005350194.tif 000008
【図７】
2005350194.tif 000009
【図８】
2005350194.tif 000010
【図９】
2005350194.tif 000011
【図１０】
2005350194.tif 000012
【図１１】
2005350194.tif 000013
【図１２】
2005350194.tif 000014
【図１３】
2005350194.tif 000015
【図１４】
2005350194.tif 000016
【図１５】
2005350194.tif 000017
【図１６】
2005350194.tif 000018
【図１７】
2005350194.tif 000019
【図１８】
2005350194.tif 000020
【図１９】
2005350194.tif 000021